(57)【特許請求の範囲】
【請求項１】
冷気を冷蔵室の側壁に案内するために、冷蔵室の側壁に一つ以上形成された冷気案内通路にそれぞれ装着されたハウジングと、
前記ハウジングに回転可能に支持されて、前記冷蔵室内部の所定領域に高温負荷が発生した場合に高温負荷が発生した領域に冷気を集中的に噴射するノズルと、
前記ノズルの前方に装着されて、前記ノズルと共に回転しながら高温負荷が発生した領域を感知する温度センサーと、
前記ハウジングの一方側に装着されて前記ノズルを回転させるノズル駆動部とを含み、
各前記ハウジングは、冷気吐出口に連通するように形成された下部ハウジング、および
前記下部ハウジングの開放した上方に装着され、かつ上面に前記ノズルが露出するように装着された上部ハウジングにより構成され、
前記下部ハウジングは上方側が開放した円筒状に形成され、前記ノズルが回転可能に係合する接触突条が前記下部ハウジングの底面中央から内側方向に屈曲形成され、かつ前記接触突条の外周壁面に前記ノズルを回転可能に支持する複数の第１支持ローラが軸支されていることを特徴とする冷蔵庫の集中冷却装置。
【請求項２】
前記接触突条の内周側面には、前記ノズルとの接触部位が冷気により結氷することを防止する第１熱線が装着されていることを特徴とする請求項１記載の冷蔵庫の集中冷却装置。
【請求項３】
前記上部ハウジングは、前記ノズルが回転可能に挿入されるノズル挿入ホールが中央に穿孔形成された円板状に形成され、前記上部ハウジングの下面には前記ノズルを回転可能に支持する複数の第２支持ローラが軸支されていることを特徴とする請求項１記載の冷蔵庫の集中冷却装置。
【請求項４】
前記上部ハウジングの下面には、前記ノズルと接触する部位が冷気により結氷することを防止するための第２熱線が装着されていることを特徴とする請求項３記載の冷蔵庫の集中冷却装置。
【請求項５】
前記ノズルは前記上部ハウジングのノズル挿入ホールに挿入され、
上面が冷蔵室の内部に露出され、下面が前記下部ハウジングの接触突条の外周壁面に回転可能に接触し、前記冷気吐出口を通して流入される冷気を冷蔵室に噴射させる冷気噴射口が前記ノズルの上面から所定角度偏心するように形成され、
かつ前記ノズルの上面には前記温度センサーを受け入れるための装着溝が切削形成されていることを特徴とする請求項１記載の冷蔵庫の集中冷却装置。
【請求項６】
前記ノズルは、前記冷蔵室に露出する上面が半球状であることを特徴とする請求項５記載の冷蔵庫の集中冷却装置。
【請求項７】
前記ノズルは、前記冷蔵室に露出する上面が平面状であることを特徴とする請求項５記載の冷蔵庫の集中冷却装置。
【請求項８】
前記冷気噴射口は、前記ノズルの下面中心から所定角度傾斜するように形成されて、冷気が吐出する入口がノズルの中心から一方側に偏心するように形成されていることを特徴とする請求項５記載の冷蔵庫の集中冷却装置。
【請求項９】
前記装着溝は、前記温度センサーが前記ノズルの上面に所定角度傾斜して装着されるように所定角度傾斜した形態に形成されていることを特徴とする請求項５記載の冷蔵庫の集中冷却装置。
【請求項１０】
前記温度センサーは、前記冷気噴射口前方の熱源から輻射された赤外線を受光して温度を検出する赤外線センサーであることを特徴とする請求項５記載の冷蔵庫の集中冷却装置。
【請求項１１】
前記ノズル駆動部は、前記下部ハウジングの一方側に装着されて複数のギヤーが噛合して収納されるギヤーボックスと、
前記ギヤーボックスの内部に内蔵されて駆動力を発生させる駆動モータと、
前記ノズルの連結ロッドと係合し、前記駆動モータの駆動軸及び複数のギヤーに噛合することによって前記駆動モータの駆動力を前記ノズルに伝達するノズル支持部材と、を含むことを特徴とする請求項１記載の冷蔵庫の集中冷却装置。
【請求項１２】
前記駆動モータは、ステッピングモーターであることを特徴とする請求項１１記載の冷蔵庫の集中冷却装置。
【請求項１３】
前記ノズル支持部材は、前記ノズルが挿入されるように中央が開口されて外周壁面に噛部が切削形成された支持本体と、前記支持本体の噛部に第３及び第２ギヤーを介して噛合する第１ギヤーと、前記第１ギヤーを軸支する駆動モータと、それら各ギヤー及び駆動モータが収納されたノズル駆動部と、を含むことを特徴とする請求項１１記載の冷蔵庫の集中冷却装置。
【請求項１４】
冷蔵室の後面に形成されて、送風ファンにより送風された冷気を供給する冷気供給通路と、
前記冷蔵室の上方側に装着され、前記冷気供給通路に連通して冷気を冷蔵室に吐出する複数の冷気吐出口を有する冷気吐出ダクトと、
前記冷気供給通路と連通し、前記冷蔵室の側壁に形成されて冷気を冷蔵室の側壁に案内する複数の冷気案内通路と、
前記冷気案内通路に装着されたハウジングと、
各前記冷気案内通路に形成された冷気案内ホールにそれぞれ回転可能に装着されて、高温負荷が発生した領域に冷気を集中的に噴射するノズルと、
前記ノズルの前方に装着されて、前記ノズルと共に回転しながら高温負荷が発生した領域を感知する温度センサーと、
前記ノズルを回転させるノズル駆動部と、を含み、
前記ハウジングは、前記冷気口に連通するように形成された下部ハウジング、および
前記下部ハウジングの開放した上方に装着され、かつ上面に前記ノズルが露出するように装着された上部ハウジングにより構成され、
前記下部ハウジングは上方側が開放した円筒状に形成され、前記ノズルが回転可能に係合する接触突条が前記下部ハウジングの底面中央から内側方向に屈曲形成され、かつ前記接触突条の外周壁面に前記ノズルを回転可能に支持する複数の第１支持ローラが軸支されていることを特徴とする集中冷却装置を具備した冷蔵庫。
【請求項１５】
前記冷気供給通路には、前記冷蔵室への冷気供給を開閉すると共に、前記冷気吐出ダクトへの冷気供給を開閉するダンパーが設置されていることを特徴とする請求項１４記載の集中冷却装置を具備した冷蔵庫。
【請求項１６】
前記ダンパーは、一方側が前記冷気供給通路の上面にヒンジ軸により開閉可能に装着されて、前記ヒンジ軸は駆動機構と電気的に接続することを特徴とする請求項１４記載の集中冷却装置を具備した冷蔵庫。
【請求項１７】
前記ノズルは、前記冷蔵室の左側壁に垂直方向に所定間隔をおいて装着されていることを特徴とする請求項１４記載の集中冷却装置を具備した冷蔵庫。
【請求項１８】
前記ノズルは、前記冷蔵室の右側壁に垂直方向に所定間隔をおいて装着されていることを特徴とする請求項１４記載の集中冷却装置を具備した冷蔵庫。
【請求項１９】
前記ノズルは、前記冷蔵室の左側壁と右側壁にそれぞれ垂直方向に所定間隔をおいて設置されていることを特徴とする請求項１４記載の集中冷却装置を具備した冷蔵庫。
【請求項２０】
前記ノズルは、前記冷蔵室のドアから近い位置の側壁に設置されていることを特徴とする請求項１４記載の集中冷却装置を具備した冷蔵庫。
【発明の詳細な説明】
【０００１】
【発明の属する技術分野】
本発明は、冷蔵庫に係るもので、詳しくは、冷蔵室内部の高温負荷が発生した領域に冷気を集中的に噴射して、高温負荷の迅速な冷却作用を遂行することで、冷蔵室内部の温度を迅速に且つ均一に維持し得る集中冷却装置及びその装置を具備した冷蔵庫に関するものである。
【０００２】
【従来の技術】
一般に、冷蔵庫は、冷凍食品を保管するための冷凍室と、冷蔵食品を保管する冷蔵室に区画されていて、その内部には冷凍室及び冷蔵室に冷気を供給するための冷凍サイクルが具備されている。
【０００３】
従来の冷蔵庫は、図１０及び図１１に示されたように、前方側の両方向に開閉自在の一対のドア１０２が装着されて、内部に収納空間が形成された本体１０４と、該本体１０４の左側に配置されて冷凍食品を保管する冷凍室１０６と、該冷凍室１０６と隔壁１１０により区画されて、本体１０４の右側に配置されることで冷蔵食品が収納される複数の棚１１４を有した冷蔵室１０８と、前記冷凍室１０６の上方側に設置されて、冷凍サイクル（図示せず）を通過しながら冷却された空気を前記冷凍室１０６及び冷蔵室１０８に供給する冷気供給装置と、を包含して構成されている。
【０００４】
且つ、前記冷気供給装置は、前記冷凍室１０６の上方側の後方壁面に装着されて、冷凍サイクルを通過しながら冷却された空気を強制的に送風する送風ファン１２０と、前記送風ファン１２０の下方側に配置されて、冷凍室１０６の内部に冷気を吐出する複数の冷気吐出口１３０が穿孔形成されたパネル１２８と、前記送風ファン１２０から送風される冷気を冷蔵室１０８に流入させるために前記隔壁１１０の上方側に穿孔形成された冷気供給通路１３２と、前記冷蔵室１０８の上部に装着されて、冷気供給通路１３２と連通することで該冷気供給通路１３２に供給される冷気を冷蔵室１０８の内部に吐出する冷気吐出ダクト１３４と、前記隔壁１１０の下方側に穿孔形成されて、冷蔵室１０８を循環しながら冷却作用を完了した冷気を冷凍サイクルに流入させる冷気流入通路１３８と、前記冷媒吐出ダクト１３４の前方及び下方側に穿孔形成されて冷蔵室１０８に冷気を吐出する複数の冷気吐出口１３６と、を包含して構成されている。
【０００５】
又、前記冷蔵室１０８の一方側には温度センサー１４０が装着されて、前記冷凍室１０６の温度が設定値以下になると該冷凍室１０６への冷気供給を遮断し、該冷凍室１０６の温度が設定値以上になると冷凍室１０６に冷気を供給する。
このように構成された従来の冷蔵庫は、冷凍サイクルが駆動して送風ファン１２０が回転すると、前記冷凍サイクルを通過しながら冷却された冷気が送風ファン１２０の送風圧により前記パネル１２８の冷気吐出口１３０及び冷気供給通路１３２にそれぞれ吐出される。
【０００６】
次いで、前記冷気吐出口１３０に吐出された冷気は、前記冷凍室１０６の内部を循環しながら冷凍室１０６に貯蔵された冷凍食品の冷却作用を遂行する。
且つ、前記冷気供給通路１３２に供給される冷気は冷気吐出ダクト１３４に流入した後、該冷気吐出ダクト１３４の冷気吐出口１３６を通して冷蔵室内部に吐出される。次いで、該冷蔵室１０８の内部に吐出された冷気は冷蔵室１０８を循環しながら冷蔵室１０８に保管された冷蔵食品の冷却作用を遂行し、冷却作用を終了した冷気は前記隔壁１１０の下方側の冷気流入通路１３８に流入し、冷却サイクルを通過しながら再び冷却される。
【０００７】
【発明が解決しようとする課題】
然るに、このように構成された従来の冷蔵庫においては、冷蔵室の上方側に冷気吐出ダクトが配置されて、該冷気吐出ダクトに形成された冷気吐出口を通して冷気が前記冷蔵室の上方側から下方側に供給されるため、前記冷気吐出口からの距離によって温度偏差が激しくなり、冷蔵室の冷気吐出ダクトのみに冷気が吐出されるため、冷蔵室の内部に食品などの収納による高温負荷が発生すると冷蔵室内部の温度が均一になるまでの時間が長くかかり、よって、冷却時間が長引くことで冷蔵室に収納された食品の新鮮度が低下するという不都合な点があった。
【０００８】
且つ、前記温度センサー及び冷気吐出口がそれぞれ所定領域に固定された状態に配置されているため、前記温度センサーから検出される冷蔵室の温度が冷蔵室内部の所定領域に制限され、冷気の吐出も所定領域に限って吐出されるので、前記温度センサーが温度を検出し得る部位から離れた区域に負荷が発生した場合、冷蔵室内部の温度偏差を解消するのに時間が長くかかり、冷蔵室内部の温度を均一に維持し得ないと共に冷蔵効率が低下するという不都合な点があった。
【０００９】
特に、前記冷気吐出口が冷蔵室の後方に穿孔形成されるため、該冷気吐出口付近の冷蔵室の後方と中央部に冷気が集中することで、その近くにある食品は冷気の影響を多く受けて過冷され、冷気吐出口から遠く離れたドアの近くに保管された食品は相対的に冷気の影響を受けなくなって弱冷される現象が発生し、冷気吐出口からの距離に従ってその偏差が著しくなって、貯蔵室の温度分布が不均一になるという不都合な点があった。
【００１０】
本発明は、このような従来の課題に鑑みてなされたもので、冷蔵室内部に集中冷却装置を設置して、冷蔵室内部の任意の領域に高温負荷が発生すると、該高温負荷の発生領域に冷気を集中的に吐出することで、冷蔵室の温度変化を迅速且つ均一に維持し、高温負荷の冷却速度を向上させて、冷蔵室の新鮮度を向上し得る集中冷却装置及びその装置を具備した冷蔵庫を提供することを目的とする。
【００１１】
【課題を解決するための手段】
このような目的を達成するため、本発明に係る冷蔵庫の集中冷却装置においては、冷気を冷蔵室の側壁に案内するために冷蔵室の側壁に一つ以上形成される冷気案内通路にそれぞれ装着されるハウジングと、該ハウジングに回転可能に支持されて、前記冷蔵室内部の所定領域に高温負荷が発生すると、前記高温負荷が発生した領域に冷気を集中的に噴射するノズルと、該ノズルの前方に装着されて、前記ノズルと共に回転しながら高温負荷が発生した領域を感知する温度センサーと、前記ハウジングの一方側に装着されて前記ノズルを回転させるノズル駆動部と、を含んで構成されることを特徴とする。
【００１２】
且つ、前記集中冷却装置の前記ハウジングは、冷気吐出口に連通するように装着される下部ハウジングと、該下部ハウジングの開放された上面に装着されて、その前方に前記ノズルが露出するように装着される上部ハウジングとから構成されることを特徴とする。
【００１３】
又、前記集中冷却装置の前記下部ハウジングは上方側が開放された円筒状に形成されて、前記ノズルが回転可能に接触する接触突条が前記下部ハウジングの底面中央から内側方向に所定高さで屈曲形成されて、該接触突条の外周壁面に前記ノズルを回転可能に支持する複数の第１支持ローラが軸支されることを特徴とする。
好適には、前記集中冷却装置の前記接触突条の内周面には、前記ノズルとの接触部位が冷気により結氷することを防止する第１熱線が装着される。
【００１４】
又、前記集中冷却装置の前記上部ハウジングは、前記ノズルが回転可能に挿入されるノズル挿入ホールが中央に穿孔形成された円板状に形成されて、前記上部ハウジングの下面に前記ノズルを回転可能に支持する複数の第２支持ローラが装着されることが好ましい。
又、前記集中冷却装置の前記上部ハウジングの下面には、前記ノズルと接触する部位が冷気により結氷することを防止するための第２熱線が装着されることが好ましい。
【００１５】
又、前記集中冷却装置の前記ノズルは前記上部ハウジングのノズル挿入ホールに挿入され、かつ上面が冷蔵室の内部に露出され、下面が前記下部ハウジングの接触突条の外周面に回転可能に接触しかつ前記案内ホールを通して流入する冷気を冷蔵室に噴射する冷気噴射口が前記ノズルの上面から所定角度偏心するように形成されて、前記冷気噴射口に隣接したノズルの上面には前記温度センサーが装着される装着溝が切削形成されることが好ましい。
【００１６】
又、前記集中冷却装置の前記ノズルは、前記冷蔵室に露出する上面が半球状であってよい。
又、前記集中冷却装置の前記ノズルは、前記冷蔵室に露出する上面が平面状であってもよい。
又、前記集中冷却装置の前記冷気噴射口は前記ノズルの下面中心から所定角度傾斜して形成されて、冷気が吐出される入口がノズルの中心から一方側に偏心するように形成されていることが好ましい。
又、前記集中冷却装置の前記装着溝は、所定角度傾斜を有して形成されることが好ましい。
【００１７】
前記集中冷却装置の前記温度センサーは、前記冷気噴射口の前方の熱源から輻射された赤外線を受光して温度を検出する赤外線センサーであってよい。
前記集中冷却装置の前記ノズル駆動部は、前記下部ハウジングの一方側に装着されて複数のギヤー噛合するギヤーボックスと、該ギヤーボックスに内蔵されて駆動力を発生する駆動モータと、該駆動モータの駆動軸と前記各ギヤーにより噛合して前記駆動モータの駆動力を前記ノズルに伝達するノズル支持部材と、を含む構成であってよい。
【００１８】
又、前記集中冷却装置の前記ノズル支持部材は、前記ノズルが挿入されるように中央が開口されて外周面に噛部が切削形成された支持本体と、該支持本体の噛部に第３ギヤー及び第２ギヤーを介して噛合する第１ギヤーと、該第１ギヤーを軸支する駆動モータと、それら各ギヤー及び駆動モータが収納されるノズル駆動部と、を含む構成であってもよい。
【００１９】
又、本発明に係る集中冷却装置を具備した冷蔵庫は、冷蔵室の後面に形成されて送風ファンにより送風される冷気を供給する冷気供給通路と、前記冷蔵室の上方側に装着され前記冷気供給通路と連通して冷気を冷蔵室に吐出する複数の冷気吐出口を有する冷気吐出ダクトと、前記冷気供給通路と連通し前記冷蔵室の側壁に形成されて冷気を冷蔵室の側壁に案内する複数の冷気案内通路と、前記冷気案内通路に装着されたハウジングと、各前記冷気案内通路に形成された冷気案内ホールにそれぞれ回転可能に装着されて高温負荷が発生した領域に冷気を集中的に噴射するノズルと、前記ノズルの前方に装着されて前記ノズルと共に回転しながら高温負荷が発生した領域を感知する温度センサーと、前記ノズルを回転させるノズル駆動部と、を含み、前記ハウジングが、冷気吐出口に連通するように形成された下部ハウジング、および前記下部ハウジングの開放した上方に装着され、かつ上面に前記ノズルが露出するように装着された上部ハウジングにより構成され、前記下部ハウジングは上方側が開放した円筒状に形成され、前記ノズルが回転可能に係合する接触突条が前記下部ハウジングの底面中央から内側方向に屈曲形成され、かつ前記接触突条の外周壁面に前記ノズルを回転可能に支持する複数の第１支持ローラが軸支されていることを特徴とする。
前記冷気供給通路には、前記冷蔵室への冷気供給を開閉すると共に、前記冷気吐出ダクトへの冷気供給を開閉するダンパーが設置されることが好ましい。
【００２０】
前記ダンパーの一方側は、前記冷気供給通路の上面に軸支されたヒンジ軸の揺動により開閉し、かつ前記ヒンジ軸は駆動機構と電気的に接続する構成であることが好ましい。
前記ノズルは、前記冷蔵室の左側壁または右側壁、或いは、左／右側壁に垂直方向に所定間隔をおいてそれぞれ装着されていることが好ましい。
前記ノズルは、前記冷蔵室のドアに近い位置の側壁に設置されていてよい。
【００２１】
【発明の実施の形態】
以下、本発明の実施の形態に対し、図面を用いて説明する。
図１は本発明に係る冷蔵庫の一部切開斜視図で、図２は本発明に係る冷蔵庫の断面図である。
【００２２】
本発明に係る冷蔵庫においては、開放された前方側の両方向に開閉自在にドア（図示せず）が装着されて食品が貯蔵される収納空間を有する本体２と、該本体２の左／右側中いずれか一方側に形成されて冷凍食品が貯蔵される冷凍室４と、該冷凍室４と隔壁８により区画されて冷蔵食品が貯蔵される冷蔵室６と、前記本体２の一方側に設置されて冷気を発生させる冷凍サイクル（図示せず）と、前記冷凍サイクルを通過しながら冷却された空気を冷凍室４及び冷蔵室６に供給する冷気供給装置と、前記冷蔵室６内部の特定領域に高温負荷が発生すると、前記高温負荷が発生した領域に冷気を集中的に吐出する集中冷却装置と、を含んで構成されている。
【００２３】
且つ、前記冷気供給装置は、前記冷凍室４の上方側の後壁面に装着されて、前記冷凍サイクルを通過しながら冷却された冷気を強制的に循環させる送風ファン１２と、該送風ファン１２の下方側に設置されて、送風ファン１２から送風される冷気を冷凍室４に吐出する吐出口１３が形成されるパネル１４と、前記隔壁８の上方側に切削形成されて、前記送風ファン１２から送風される冷気を冷蔵室６に供給する冷気供給通路１５と、該冷気供給通路１５に連通して、冷蔵室６の上方側に設置されて冷蔵室６に冷気を吐出する冷気吐出口１６が形成された冷気吐出ダクト１７と、を含んで構成されている。
【００２４】
又、前記隔壁８の下方側には、前記冷蔵室６を循環しながら冷却作用を完了した冷気を冷凍サイクルに流入する冷気流入口１８が穿孔形成される。
又、前記集中冷却装置は、前記隔壁８の冷気供給通路１５から延長しかつ前記冷蔵室６の側壁に少なくとも一つ以上に形成されて冷気を冷蔵室６の側壁に案内する冷気案内通路１９と、該冷気案内通路１９に連結され、冷蔵室の側壁にそれぞれ装着されて高温負荷が発生した領域に冷気を噴射する冷気噴射装置１０と、を含んで構成されている。
【００２５】
且つ、前記冷気供給通路１５の上方側には円板状のダンパー２０がヒンジ軸２２に軸支され、ダンパー２０は前記冷蔵室６に流入する冷気の開閉作用をして冷気案内通路１９及び冷気供給ダクト１７を選択的に開放するようになっている。
即ち、図２に示したように、前記駆動機構の作動により前記ダンパー２０が第１位置（Ｌ）に置かれると冷蔵室６への冷気供給が遮断された状態、第２位置（Ｍ）に置かれると冷気吐出ダクト１７への冷気供給が遮断された状態、第３位置（Ｎ）に置かれると冷気案内通路１９及び冷気吐出ダクト１７に冷気を供給する状態になる。
【００２６】
図３は本発明に係る冷気噴射装置の分解斜視図で、図４は本発明に係る冷気噴射装置の縦断面図である。
前記冷気噴射装置１０は、前記冷気案内通路１９に所定間隔をおいてそれぞれ装着された上部ハウジング３４及び下部ハウジング３６と、それら上下部ハウジング３４、３６間に回転可能に支持されて高温負荷が発生した領域に冷気を噴射するノズル４０と、該ノズル４０の前方に装着されて、ノズル４０と共に回転しながら冷蔵室６内部の高温負荷が発生した領域を感知する温度センサー６０と、前記ノズル４０を回転させるノズル駆動部４２と、を含んで構成されている。
【００２７】
且つ、前記上下部ハウジング３４、３６は、前記冷気案内通路１９に形成された各冷気案内ホール２４に装着される下部ハウジング３６と、該下部ハウジング３６の開放された上面に係合される上部ハウジング３４とから構成されている。
このとき前記下部ハウジング３６は、図５に示したように、上方側が開放された円筒状に形成され、かつその底面中心部が穿孔形成され、中央部の周囲中央部位が上方向に所定高さを有して内側方向に湾曲して前記ノズル４０と接触する接触突条４４が突成され、該接触突条４４の外周壁面に前記ノズル４０を回転可能に支持する複数の第１支持ローラ４６が所定間隔をおいて軸支される。且つ、前記下部ハウジング３６の一方側面には前記ノズル駆動部４２が装着されて、該ノズル駆動部４２のギヤーが挿入されるギヤー挿入ホール４８が穿孔形成されている。
【００２８】
又、前記接触突条４４は前記冷気案内通路１９の冷気案内ホール２４と連通するように貫通した形態で、前記接触突条４４の上面は前記ノズル４０と接触した状態で自在に回転するように曲面状に形成されて、前記接触突条４４の外側壁面に第１熱線５０が付着されることで前記ノズル４０と接触突条４４間の接触部位が結氷することを防止するようになっている。
このとき、前記第１熱線５０は前記接触突条４４の内周面に円周方向に装着されるフィルムタイプのヒータで形成されることが好ましく、電源が印加されると前記接触突条４４が加熱されて、前記冷蔵室６に吐出される冷気により前記ノズル４０と接触突条４４間が結氷することを防止する。
【００２９】
又、前記上部ハウジング３４は、図３及び図６に示したように、中央に前記ノズル４０が挿入されるノズル挿入ホール５２が穿孔形成された円板状に形成され、前記上部ハウジング３４の下面には、前記ノズル挿入ホール５２の円周方向に前記複数の第２支持ローラ５４が等間隔に装着されている。且つ、前記上部ハウジング３４の円周方向にフィルム型ヒーターの第２熱線５６が装着されて、電源を印加すると、前記上部ハウジング３４を加熱することでノズル４０との接触部位の結氷の発生を防止させる。このとき、前記下部ハウジング３６と上部ハウジング３４は相互ボルト５８により締結される。
【００３０】
又、前記ノズル４０は、図７に示したように、断面半球状に形成されて、前記上部ハウジング３４のノズル挿入ホール５２に挿入されることで前記上部ハウジング３４の前方に上部が露出し、前記ノズル４０の中心からやや偏心した位置に、冷気を冷蔵室１０の内部に噴射する冷気噴射口３８が所定角傾斜して穿孔形成され、該冷気噴射口３８の上方には装着溝６６が切削形成されて該装着溝６６に冷蔵室６の内部温度を検出する温度センサー６０が装着され、前記ノズル４０の下方側には前記ノズル支持部材８２（図３参照）と連結する複数の連結ロッド６２が放射状に一体に突出形成されて、前記下部ハウジング３６の中央周壁に固着された複数の第１支持ローラ４６に当接する環状のガイド部６４が下方向に突成されている。
【００３１】
又、前記温度センサー６０は、図３に示したように、前記ノズル４０の偏心位置に形成された前記装着溝６６に装着されて、前記冷気噴射口３８の前方の熱源から輻射された赤外線を受光して温度を検出する赤外線センサーにて構成される。
且つ、前記ノズル駆動部４２は、図３に示したように、前記下部ハウジング３６の一方側に装着されるギヤーボックス７０と、該ギヤーボックス７０の内部に内蔵されて駆動力を発生する駆動モータ７２と、前記ノズル４０の連結ロッド６２と係合して、前記駆動モータの駆動軸７４及び複数のギヤーと噛合することで、前記駆動モータ７２の駆動力を前記ノズル４０に伝達するノズル支持部材８２とから構成されている。
【００３２】
前記駆動モータ７２は、所定ステップ角に回転するステッピングモーターが使用される。
又、前記ノズル支持部材８２は、図９に示したように、前記ノズル４０のガイド部６４が挿入されるように中央が開口された支持本体８４と、該支持本体８４の上面に環状の側壁８６が垂直に一体に延長形成されて、該側壁８６に前記連結ロッド６２が挿入される挿入ホール８８がそれぞれ放射状に穿孔形成されている。
このとき、前記支持本体８４の外周面には後述する第３ギヤー８０と噛合する噛部９０が形成され、前記側壁８６の内周面は前記上部ハウジング３４に装着された第２支持ローラ５４と回転可能に接触する。
【００３３】
前記各ギヤーは、前記駆動モータ７２の駆動軸７４に嵌合された第１ギヤー７６と、該第１ギヤー７６に噛合する第２ギヤー７８と、該第２ギヤー７８及び前記下部ハウジング３６のギヤー挿入ホール４８を介して、前記ノズル支持部材の噛部９０に噛合する第３ギヤー８０とから構成されている。
又、図８は本発明に係る冷気吐出装置のノズルの第２実施形態を示した断面図で、図示されたように、本発明に係る集中冷却装置のノズルの第２実施形態として、前記上部ハウジング３４の前方に露出するノズル４０の上面９４を平面状にし、その他は第１実施形態と同様に構成することもできる。
【００３４】
即ち、前記ノズル４０は、図８に示したように、前記上部ハウジング３４のノズル挿入ホール５２に挿合されて、前記上部ハウジング３４の前方に露出する上面９４が平面状に形成され、該上面９４の一方側に冷気噴射口３８が偏心して穿孔形成され、該冷気噴射口３８の上方に隣接して装着溝６６が切削形成され、該装着溝６６に前記温度センサー６０が所定角度傾いた状態に装着されている。
以下、このように構成される本発明に係る集中冷却装置を具備した冷蔵庫の作用に関して説明する。
【００３５】
冷凍サイクルと送風ファン２０が駆動されると、冷凍サイクルを通過しながら冷却された空気がパネル１４に形成された吐出口１３を通して冷凍室４に吐出されて、冷凍室４を循環しながら冷却作用を遂行して、前記隔壁８に形成された冷気供給通路１５を通して冷蔵室６に供給される。
前記冷気供給通路１５に供給された冷気は冷気吐出ダクト１７及び冷気案内通路１９に供給されて、前記冷気吐出ダクト１７の冷気吐出口１６を通して冷蔵室内部に吐出されて冷却作用を遂行する。この時、前記冷気供給通路１５に設置されたダンパー２０は第３位置（Ｎ）に作動して冷蔵室６への冷気吐出を行う。
【００３６】
このような作動中、冷蔵室６内部に高温負荷が発生する場合、前記ダンパー２０が第２位置（Ｍ）に作動して、冷気吐出ダクト１７への冷気供給を遮断し、冷気案内ダクト１９のみに冷気を供給し、冷気噴射装置が作動して高温負荷が発生した領域に冷気を集中噴射させる。
【００３７】
前記集中冷却装置の作用においては、駆動モータ７２が駆動すると、駆動モータ７２の駆動力が各第１、２、３ギヤー７６、７８、８０の噛合により所定程度減速されて、第３ギヤー８０と噛合された前記ノズル支持部材８２を回転させて、該ノズル支持部材８２と連結ロッド６２により係合したノズル４０が回転する。次いで、該ノズル４０の温度センサー６０が冷蔵室６内部の温度をスキャニングして、高温負荷の発生した領域を感知して制御部（図示せず）に印加し、該制御部により前記駆動モータ７２が制御されて、前記ノズル４０の冷気噴射口３８を該当の領域方向に回転させ、高温負荷が発生した領域を集中的に冷却して迅速に冷蔵室内部の温度を均一にする。
【００３８】
この時、下部ハウジング３６に装着された第１支持ローラ４６により前記ノズル支持部材８２が回転可能に支持されて、前記上部ハウジング３４に装着された第２支持ローラ５４により前記ノズル４０が回転可能に支持される。
且つ、前記下部ハウジング３６の接触突条４４に装着された第１熱線５０が作動し、前記ノズル支持部材８２と下部ハウジング３６間の接触部位が冷気により結氷することを防止し、かつ前記上部ハウジング３４に装着された第２熱線５６が作動して前記ノズル４０と上部ハウジング３４間の接触部位が冷気により結氷することを防止する。
【００３９】
【発明の効果】
以上説明したように、本発明に係る集中冷却装置及びその装置を具備した冷蔵庫においては、冷蔵室の側壁に複数の冷気噴射口を有するノズルを回転可能に設置し、該ノズルに温度センサーを装着してそのノズルを回転させ、温度センサーにより冷蔵室の全領域の温度をスキャニングして所定領域に高温負荷が検出されると、前記ノズルを回転させてノズル噴射口の噴射位置を調整して、高温負荷が発生した部位に集中的に冷気を吐出するようになっているため、迅速な冷却作用を遂行することができて、冷蔵室内部の温度を迅速且つ均一に維持し得るという効果がある。
【図面の簡単な説明】
【図１】  本発明に係る集中冷却装置が具備された冷蔵庫を示した一部切開斜視図である。
【図２】  本発明に係る集中冷却装置が具備された冷蔵庫の構成を示した概略縦断面図である。
【図３】  本発明に係る集中冷却装置の構成を示した分解斜視図である。
【図４】  本発明に係る集中冷却装置の構成を示した縦断面図である。
【図５】  本発明に係る下部ハウジングの構成を示した縦断面図である。
【図６】  本発明に係る上部ハウジングの構成を示した縦断面図である。
【図７】  本発明に係るノズルの第１実施形態を示した縦断面図である。
【図８】  本発明に係るノズルの第２実施形態を示した縦断面図である。
【図９】  本発明に係るノズル支持部材を示した縦断面図である。
【図１０】  従来の冷蔵庫の一部切開斜視図である。
【図１１】  従来の冷蔵庫の断面図である。
【符号の説明】
２…本体
４…冷凍室
６…冷蔵室
８…隔壁
１０…冷気噴射装置
１２…送風ファン
１４…パネル
１３、１６…冷気吐出口
１７…冷気吐出ダクト
１８…冷気吸入口
１９…冷気案内通路
２４…冷気案内ホール
３４…上部ハウジング
３６…下部ハウジング
３８…冷気噴射口
４０…ノズル
４２…ノズル駆動部
４４…接触突条
４６…第１支持ローラ
４８…ギヤー挿入ホール
５０…第１熱線
５２…ノズル挿入ホール
５４…第２支持ローラ
５６…第２熱線
５８…ボルト
６０…温度センサー
６２…連結ロッド
６６…装着溝
７０…ギヤーボックス
７２…駆動モータ
７４…駆動軸
７６…第１ギヤー
７８…第２ギヤー
８０…第３ギヤー
８２…ノズル支持部材
【図１】
0003683878.tif 000002
【図２】
0003683878.tif 000003
【図３】
0003683878.tif 000004
【図４】
0003683878.tif 000005
【図５】
0003683878.tif 000006
【図６】
0003683878.tif 000007
【図７】
0003683878.tif 000008
【図８】
0003683878.tif 000009
【図９】
0003683878.tif 000010
【図１０】
0003683878.tif 000011
【図１１】
0003683878.tif 000012